(57)【要約】【課題】  鉄瓶中のお湯をポットなどに注ぐ時、鉄瓶を水平方向に対して９０度まで傾けても鉄瓶蓋がズレたり、落下するのを防ぐことができる、鉄瓶蓋落下防止具を提供する。【解決手段】  鉄瓶本体と蓋が接する上部に強力な磁石をネジ止めした鋳物製の小物を乗せ、鉄瓶蓋が鉄瓶本体からのズレや落下する。  磁石は、日本や中国等東アジアでよく売れている鉄瓶（容量２リットル）の蓋が300ｇ以下に対応し、ネオジ磁石（Nd-Fe-B）２で吸引力４kgfのものとする。【選択図】  図１
2013183839.tif 000002
【特許請求の範囲】
【請求項１】
強力な磁力を備えた鋳物製小物からなる鉄瓶蓋落下防止具であって、鉄瓶本体と蓋が接する上部に鋳物製小物を置いた時、磁力により鉄瓶を水平方向に対して約９０度まで傾けても鉄瓶蓋がズレたり、落下したりしないことを特徴とする鉄瓶蓋落下防止具。
【発明の詳細な説明】
【技術分野】
【０００１】
本発明は、鉄瓶中のお湯をポットなどに注ぐ時、鉄瓶蓋がズレたり、落下するのを防ぐ鋳物製小物に関する。
【背景技術】
【０００２】
鉄瓶蓋を手で支えないで鉄瓶中からお湯をポットなどに注ぐ時、鉄瓶蓋がズレたり、落下して約100℃の蒸気が手首や手にかかり火傷をすることがよくある。
【０００３】
また上記の火傷を防ぐために鉄瓶蓋を布巾などで持ち支えるが、鉄瓶本体と蓋の隙間や注ぎ口から、約100℃の蒸気が手首や手にかかり火傷をすることがある。
【０００４】
また、鉄瓶に蓋ズレ止めや落下防止部品を付けたり、鉄瓶蓋の裏に細工を施し、鉄瓶蓋がズレたり、落下するのを防ぐようにしていたが、鉄瓶中のお湯を全部ポット等に注ぐ時、鉄瓶を水平方向に対して約９０度まで傾けなければならない、そこまで鉄瓶を傾けると鉄瓶蓋はズレたり、落下して火傷の原因となっている。
【０００５】
鉄瓶蓋が落下防止に関する先行技術として、特開２００１−２９９号公報（特許文献１）があるが、この技術は、本体と蓋の双方に落下防止のための支持機構を設けるものであり、特別な構造の鉄瓶を作製しなければならない。
【０００６】
既成の鉄瓶に適用できる落下防止具についての先行技術は見当たらず、また、市販品も見つかっていない。
【先行技術文献】
【特許文献】
【０００７】
【特許文献１】特開２００１−２０９号公報
【発明の概要】
【発明が解決しようとする課題】
【０００８】
前述のように、鉄瓶中のお湯をポットなどに注ぐ時、鉄瓶蓋を布巾などで押さえて行うと注ぎ口や鉄瓶と蓋の隙間から約100℃の蒸気が手首や手にかかり火傷の原因になったり、落下防止の細工を施したりしても、鉄瓶を水平方向に対して約９０度まで傾ける場合などに、鉄瓶蓋がズレたり、落下して火傷の原因となっている。
【０００９】
本発明は、その問題点を解決し、鉄瓶の給湯時、安全に蓋を支えることができる、鋳物製小物からなる落下防止具を提供するものである。
【課題を解決するための手段】
【００１０】
本発明は、強力な磁力を備えた鋳物製小物からなる鉄瓶蓋落下防止具であって、鉄瓶本体と蓋が接する上部に鋳物製小物を置いた時、磁力により鉄瓶を水平方向に対して約９０度まで傾けても鉄瓶蓋がズレたり、落下したりしないことを特徴とする鉄瓶蓋落下防止具である。
【発明の効果】
【００１１】
本発明の落下防止具により、既成の鉄瓶に対し、適用することができ、かつ給湯時に確実に蓋を支えることができ、落下を防止することができる。
【図面の簡単な説明】
【００１２】
【図１】図1は本発明に係る鉄瓶蓋落下防止具の設置位置を示す側面図である。
【図２】鉄瓶を水平方向に対して９０度に傾けた鉄瓶蓋落下防止具設置位置を示す側面図並びに断面図である。
【図３】本発明に係る鉄瓶蓋落下防止具の一例を示す上部外観図である。
【図４】本発明に係る鉄瓶蓋落下防止具の底を示す下部外観図である。
【図５】本発明に係る鉄瓶蓋落下防止具断面図であり、磁石を取り付けた状態を示す図である。
【発明を実施するための形態】
【００１３】
本発明の鋳物製小物の鉄瓶蓋落下防止具は、図1に示すごとく鋳物製小物１に強力な磁石（吸引力４kgf）２をネジ３止めしたもので、鉄瓶蓋を強固に押さえ、鉄瓶中から約１００℃のお湯をポットなどへ移す時、鉄瓶の鉉を片手で持ち、蓋をささえなくとも、鉄瓶本体を水平方向に対して約９０度まで傾けることができるものである。
【００１４】
強力な磁石（吸引力４kgf）をネジ止めした鋳物製小物は、鉄瓶蓋を強固に押さえ、鉄瓶中から約１００℃のお湯をポットなどへ移す時、鉄瓶の鉉を片手で持ち、蓋をささえなくとも、鉄瓶本体を水平方向に対して約９０度まで傾けることができる。そうすることで鉄瓶蓋はズレもしないし、落下することがないので火傷の危険を解消できるので、本発明は、鉄瓶を使用する際、安全な鉄瓶蓋落下防止具となる。
【００１５】
鉄瓶本体を水平方向に対して約９０度まで傾ける理由は、火傷防止のほかに鉄瓶内部のサビ防止に関係するものである。
【００１６】
鉄瓶でお湯を沸かし終わったときは、必ず鉄瓶内部の水分を全部蒸発させ、内部に水分がないことを確認してから蓋をしないとサビの原因になる、そのために鉄瓶中から約１００℃のお湯をポットなどへ移す時、鉄瓶本体を水平方向に対して約９０度まで傾ける必要がある。
【実施例】
【００１７】
本発明に係る鉄瓶蓋落下防止具の実施例を図に基づいて説明する。
図1は本発明に係る鉄瓶蓋落下防止具の設置位置を示す側面図、図2は鉄瓶を水平方向に対して90度に傾けた鉄瓶蓋落下防止具設置位置を示す側面図並びに断面図、図3は鉄瓶蓋落下防止具上部外観図、図4は鉄瓶蓋落下防止具下部外観図、図5は鉄瓶蓋落下防止具断面図であり、１は鋳物製小物、２はネオジ磁石（Nd-Fe-B）で吸引力４kgf、３はネジである。
【００１８】
鋳物製小物１の本体は、岩手県奥州市の南部鉄器生産工場において砂型技法で鋳造した製品である。
【００１９】
本発明の鉄瓶蓋落下防止具において、鋳物製小物１に付ける強力な磁石２は、（株）マグナ製のネオジ磁石（Nd-Fe-B）２で吸引力４kgfのものである。
【００２０】
本発明の鉄瓶蓋落下防止具は、鋳物製小物１の中に強力な磁石２をはめ込み、ネジ３で固定している。
固定手段は、他の手段でも可能であるが、加熱する箇所に用いられるものであることを考慮すると、ネジ止めが最も適している。
【００２１】
上記強力な磁石は、日本や中国等東アジアでよく売れている鉄瓶（容量２リットル）の蓋が300ｇ以下なので、ネオジ磁石（Nd-Fe-B）２で吸引力４kgfを採用する。
【００２２】
鉄瓶には、様々形状や大きさがある。そこで10人が本発明の鋳物製小物の鉄瓶蓋落下防止具を付けて様々形状、大きさの鉄瓶で1000回以上、鉄瓶中のお湯をポットなどに移す時、鉄瓶本体を水平方向に対して９０度まで傾ける実験した。その結果、鉄瓶蓋はズレたり、落下することはなかった。
【産業上の利用可能性】
【００２３】
本発明の鉄瓶蓋落下防止具は、様々な形状、大きさの鉄瓶に適用することができ、かつ、確実安全に落下を防ぐことができるものであり、きわめて実用的なものである。また、小物自体のデザインも多様なものが採用でき、様々な展開が期待できる。
【符号の説明】
【００２４】
１  鋳物製小物
２  ネオジ磁石
３  ネジ 
【図１】
2013183839.tif 000003
【図２】
2013183839.tif 000004
【図３】
2013183839.tif 000005
【図４】
2013183839.tif 000006
【図５】
2013183839.tif 000007